(57)【要約】      （修正有）【課題】着用時に、帯前面と袴本体前身頃とを面ファスナーによって止着するとともに、前紐及び後ろ紐を結ぶ代わりに面ファスナーにて止着することにより、着付けを簡略化して、専門的な着付け技術を不要としながら、外観上「十文字結び」の結び方を再現する男袴を提供する。【解決手段】男袴は、前面に面ファスナーが着設され、背面中心上方に帯枕が付着している帯と、前身頃２１ａ裏面に袴固定用面ファスナー２５が着設されている袴本体とからなる。【選択図】図８
0003225089.tif 000002
【実用新案登録請求の範囲】
【請求項１】
着用した際に、前面中心部となる位置の表面に面ファスナーが着設されており、背面中心部となる位置の上方に帯枕が付着していることを特徴とする帯と、前身頃の上部裏面に前記面ファスナーに係合する面ファスナーが着設されていることを特徴とする袴本体とからなる男袴
【請求項２】
前記帯の長辺方向の一端側の表面に面ファスナーが着設され、前記長辺方向の他端側の裏面に前記面ファスナーに係合する面ファスナーが着設されていることを特徴とする請求項１記載の男袴
【請求項３】
前記袴本体の前紐の長辺方向の一端側に環状体が着設されており、前記長辺方向の他端側に、互いに契合する面ファスナーが着設されていることを特徴とする請求項１乃至２いずれか記載の男袴
【請求項４】
前記袴本体の後ろ紐の長辺方向の一端側に環状体が着設されており、前記長辺方向の他端側に、互いに契合する面ファスナーが着設されていることを特徴とする請求項１乃至３いずれか記載の男袴
【請求項５】
請求項１乃至４いずれか記載の袴本体の後ろ紐に装着する帯体であって、前記帯体は十字状の形態をなしていることを特徴とする帯体
【考案の詳細な説明】
【技術分野】
【０００１】
本考案は、着物着用時に着用する男袴に関する。
【背景技術】
【０００２】
男袴を着用する際に帯結びが必要になる等、その着付けには多くの手順を要するため容易ではなく、専門的な着付けの技術が必要であった。しかし、着付けの専門家に依頼をするとなると着付け費用の経済的負担も大きく、着付けのための移動に時間的な負担もかかる等、手間がかかるものとなっていた。
そこで、袴を容易に着用することができる袴に関する技術が公開されている。
【先行技術文献】
【特許文献】
【０００３】
【特許文献１】特開２０００−１４４５０６号公報
【特許文献２】特開２０１３−１２７１４３号公報
【考案の概要】
【考案が解決しようとする課題】
【０００４】
特許文献１に記載の袴は、紐を結ぶ代わりにワンタッチで脱着可能なバックルを用いているが、あらかじめ紐の長さを調節しておかなければならないので、着用前の手間がかかるものとなっている。
特許文献２に記載の袴は、着用は容易であるものの、袴本来の着用方法である紐を結んだ姿が再現されず、着用時の美しさが表れないものとなっている。
【０００５】
そこで、本考案は、袴を容易に着用できるとともに、紐を結ぶという通常の着用方法で袴を着用しているような状態をも再現することをも目的とする。
【課題を解決するための手段】
【０００６】
請求項１記載の男袴は、着用した際に、前面中心部となる位置の表面に面ファスナーが着設されており、背面中心部となる位置の上方に帯枕が付着していることを特徴とする帯と、前身頃の上部裏面に前記面ファスナーに係合する面ファスナーが着設されていることを特徴とする袴本体とからなる。
【０００７】
帯前面の面ファスナーと袴前身頃の裏面の面ファスナーとを係合させることにより、袴着用時の中心の位置決めを容易にすることができる。
また、帯に帯枕をあらかじめ付着させておくことにより、帯枕を装着させる手間を軽減できることとなる。
【０００８】
請求項２記載の男袴は、請求項１記載の男袴であって、前記帯の長辺方向の一端側の表面に面ファスナーが着設され、前記長辺方向の他端側の裏面に前記面ファスナーに係合する面ファスナーが着設されていることを特徴とする。
【０００９】
帯を面ファスナーで係合させることにより、結ぶ手間が軽減できるとともに、サイズの調節が容易となる。また、袴着用時には帯は隠れるため、外観上も通常の帯を結んでいるように見せることができる。
【００１０】
請求項３記載の男袴は、請求項１乃至２いずれか記載の男袴であって、前記袴本体の前紐の長辺方向の一端側に環状体が着設されており、前記長辺方向の他端側に、互いに契合する面ファスナーが着設されていることを特徴とする。
【００１１】
袴の前紐を面ファスナーにて係合することにより、着用が容易になるとともに、面ファスナー部分は袴後ろ身頃に隠れるため、外観上も通常の袴のように見せることができる。
【００１２】
請求項４記載の男袴は、請求項１乃至４いずれか記載の男袴であって、前記袴本体の後ろ紐の長辺方向の一端側に環状体が着設されており、前記長辺方向の他端側に、互いに契合する面ファスナーが着設されていることを特徴とする。
【００１３】
袴の後ろ紐を面ファスナーにて係合することにより、着用が容易になるとともに、面ファスナー部分は袴後ろ身頃に隠すことができる。通常の袴では、前面に結び目がくるが、後記帯体により通常の袴のように見せることができる。
【００１４】
請求項５記載の帯体は、請求項１乃至４いずれか記載の袴本体の後ろ紐に装着する帯体であって、前記帯体は、十字状の形態をなしていることを特徴とする。
【００１５】
十字状の帯体を袴後ろ紐に装着することによって、通常の袴を着用しているように見せることができる。
【考案の効果】
【００１６】
本考案によれば、専門的な着付けの技術が無くとも、男袴の「十文字結び」の形状を容易に実現することができる。そして、帯、前紐及び後ろ紐を結ぶことなく、止着することが可能であり、帯を帯枕とを一体化させることにより、袴の着付けに必要な部材点数を減らすことができ、その保管の負担も減らせる男袴を提供することができる。
【図面の簡単な説明】
【００１７】
【図１】本考案の実施の形態において、帯の表面を表わす図である。
【図２】本考案の実施の形態において、帯の裏面を表わす図である。
【図３】本考案の実施の形態において、袴本体の前面を表わす図である。
【図４】本項案の実施の形態において、袴本体の背面を表わす図である。
【図５】本考案の実施の形態において、帯体を表わす図である。
【図６】本考案の実施の形態において、帯体の横面を表わす図である。
【図７】本考案の実施の形態において、着物に帯を巻き止めた状態を表わす図である。
【図８】本考案の実施の形態において、帯前面に袴本体を装着した状態を表わす図である。
【図９】本考案の実施の形態において、着物に袴本体の前紐を巻き止めた状態を表わす図である。
【図１０】本考案の実施の形態において、着物に袴本体の後ろ紐を巻き止める状態を表わす図である。
【図１１】本考案の実施の形態において、袴本体を着用した状態を示す図である。
【図１２】本考案の実施の形態において、袴本体の後ろ紐に帯体を装着した状態を表わす図である。
【考案を実施するための形態】
【００１８】
以下、図面を参照しつつ、本考案の実施の形態について説明する。
【００１９】
本実施の形態については、帯枕が付着されている帯、前紐及び後ろ紐が着設されている袴本体及び十字状の帯体から構成される。
【００２０】
着用する着物の身丈、袖幅、袖丈等は任意であり、帯・帯枕・袴本体・袴本体の前紐・袴本体の後ろ紐・十字状の帯体の長さ、幅、形状等については任意である。
帯・前紐及び後ろ紐の巻き止め手段として、面ファスナーと環状体を用いているが、その両端に互いに契合する面ファスナーを着設したり、スナップファスナー等によっても実施可能である。
また、面ファスナーのＡ面とＢ面とは係合する限りにおいて、Ａ面とＢ面とを入れ替えることが可能である。そして、面ファスナーの長さ、幅は任意であり、その着設位置も任意である。
前紐及び後ろ紐の環状体についても、前紐及び後ろ紐が挿通する限りにおいて、その形状・材質は任意である。
【００２１】
以下、図１乃至図６を参照しつつ、帯枕が付着されている帯１１、前紐及び後ろ紐が着設されている袴本体２１及び十字状の帯体３１について説明していく。
図１は前記帯枕１４が付着された帯１１の表面を表わす図であり、図２は前記帯枕１４が付着された帯１１の裏面を表わす図である。
【００２２】
前記帯の表面１１ａの長辺方向の一端に面ファスナー１２ａが着設され、前記帯の裏面１１ｂには前記面ファスナー１２ａが着設されている長辺方向の逆側の一端に面ファスナー１２ｂが着設される。
前記面ファスナー１２ａをＡ面とした場合には、前記面ファスナー１２ｂはＢ面となるが、止着する限りにおいて、その逆とすることも可能である。そして、前記面ファスナー１２ａ及び１２ｂの着設は、縫着、貼付等の手段による。
前記面ファスナー１２ａは、前記面ファスナー１２ｂと係合して、前記帯１１を結ぶことなく、止着するためのものとなるが、その係合位置をずらすことで、ウエストサイズの調節が可能となる。
また、前記面ファスナー１２ａの左右方向のサイズは、前記面ファスナー１２ｂと係合する限りにおいて任意であるが、前記帯１１の長辺方向の長さの１／３以内とすることが望ましい。
さらに、前記帯１１の長辺方向の長さは、想定する着用者のウエストサイズよりも１０〜２０ｃｍ程度長くすることが望ましい。
【００２３】
前記帯１１の長辺方向の前記面ファスナー１２ａが着設されている側の一端の上方に帯枕１４が付着されるが、その付着手段として、前記帯１１に帯枕取り付け用スナップ１５を設けて、前記帯枕１４の裏側に前記帯枕取り付け用スナップ１５に嵌合するスナップを着設して、互いに嵌合させて、前記帯枕１４を前記帯枕１１に付着させており、前記帯枕１４は取り外し自在としている。この時、前記帯枕１４の短辺方向と前記帯１１の短辺方向とが重ならない位置に付着させることにより、着用時に前記帯枕１４が前記帯の表面１１ａ側に返り、帯枕としての機能を果たすことになる。
なお、前記帯枕１４の前記帯１１への付着手段として、本実施例ではスナップを用いているが、前記帯枕１４が折り返し自在に付着される限りにおいて、面ファスナー等によっても可能である。また、前記帯枕１４は、帯枕としての美観の点からも蝶々結びのリボン状とすることが好ましい。
【００２４】
前記帯の表面１１ａの長辺方向の中間部には、前記帯１１の着用時に前面となる位置に面ファスナー１３が着設される。前記面ファスナー１３は、着用時に後記袴本体２１の前身頃裏面の袴固定用面ファスナーと係合させるためのものとなる。
前記面ファスナー１３は、前記帯１１着用時に、前記帯枕１４が背中側の中心に位置したときに、胸側の中心に位置する必要があるため、様々な着用者の体格に合わせるためにも、最低でも左右方向に１５ｃｍ程度の長さは必要である。また、後記袴本体２１からはみ出して見えないように、その上下方向は前記帯１１の短辺方向よりも短い方が好ましい。
なお、前記面ファスナー１３は、後記袴本体２１と係合して止着される限りにおいて、スナップ等の手段とすることも可能である。
【００２５】
前記帯の裏面１１ｂの上部にすべり止めテープ１６を逢着させているが、着用時に前記帯１１のずり落ち、着崩れ等を防ぐためのものであり、その素材としてはゴム、合成皮革等が望ましい。なお、その逢着は任意である。
【００２６】
図３は前記袴本体２１の前面を表わす図であり、図４は前袴本体２１の背面を表わす図である。
前記袴本体２１は、前身頃２１ａと後ろ身頃２１ｂとが一体となり、筒状に形成されており、前紐２２は前記前身頃２１ａ側の上部に着設され、後ろ紐２６は前記後ろ身頃２１ｂ側の上部に着設されている。
【００２７】
前記前身頃２１ａの上部裏側に、前記袴固定用面ファスナー２５が着設される。この前記袴固定用面ファスナー２５は、前記帯の表面１１ａに着設されている前記面ファスナー１３と係合させて、前記帯１１と前記袴本体２１とを止着させるためのものとなるが、着用時に前記袴本体２１の位置が正しく中心が出るよう、前記前身頃２１ａの左右方向の中心に着設される必要がある。
なお、前記袴固定用面ファスナー２５は、前記面ファスナー１３をスナップとした場合には、該スナップに対応するスナップとする等、前記帯１１と前記袴本体２１とが係合して止着される限りにおいて、他の手段とすることも可能である。
【００２８】
前記前紐２２は、長辺方向の向かって右側に環状体２３が着設されており、逆の左側に互いに契合するふたつの面ファスナー２４が着設されているが、左右逆とすることも可能である。
着用時には、前記前紐２２の左右を着用者の背面に回して、前記前紐２２の左側を前記環状体２３に挿通させて、折り返して、前記面ファスナー２４同士を係合させて止着させる。ふたつの前記面ファスナー２４は、いずれか一方がＡ面となり他方がＢ面とする必要があるが、いずれをＡ面とするかは任意であり、どちらをＡ面としても実施可能である。
なお、ふたつの前記面ファスナー２４の左右方向の長さは、前記後ろ紐２６の長辺方向の長さの１／６から１／４程度とすることが望ましく、上下方向の幅は前記前紐２２の短辺方向の幅よりも短い方が望ましい。
【００２９】
前記後ろ紐２６は、長辺方向の向かって左に環状体２７が着設されており、逆の右側に互いに契合するふたつの面ファスナー２８が着設されているが、左右逆とすることも可能である。
着用時には、前記後ろ紐２６の左右を着用者の前面に回して、前記後ろ紐２６の右側を前記環状体２７に挿通させて、折り返して、前記面ファスナー２８同士を係合させて止着させる。ふたつの前記面ファスナー２８は、いずれか一方がＡ面となり他方がＢ面とする必要があるが、いずれをＡ面とするかは任意であり、どちらをＡ面としても実施可能である。
なお、ふたつの前記面ファスナー２８の左右方向の長さは、前記後ろ紐２６の長辺方向の長さの１／１０から１／８程度とすることが望ましく、上下方向の幅は前記後ろ紐２６の短辺方向の幅よりも短い方が望ましい。
【００３０】
図５は、前記帯体３１を前面から見た図であり、図６は前記帯体３１を上方から見た図である。
前記帯体３１は、帯状の布を折曲し、把持させて、十字状に形成される。その中心部の裏面には、前記帯体３１を前記後ろ紐２６に装着するための帯体取り付け用クリップ３２が着設されており、該クリップで前記後ろ紐２６に狭着する。
前記帯体取り付けクリップ３２の前記帯体３１への着設方法は任意であるが、台座のようなものを設けて、該台座に前記帯体取り付けクリップ３２を貼着して、該台座を前記帯体３１にリベット留めするというような手段をとることも可能である。
なお、前記帯体３１を前記後ろ紐２６へ装着する手段として、クリップを用いているが、安全ピン、マグネット等の係止具によっても実施可能であり、それらを併設してもよく、複数の装着手段を用いることによって、より強固に止着させることができるとともに、着用者が任意の装着手段を選択することも可能となる。
【００３１】
次に、図７乃至図１２を参照しつつ、本実施例における本男袴を着用する手順について説明する。
【００３２】
まず、図７に示すように、着用者が着物１を着用し、前記帯枕１４が背中と相対するようにして、前記帯枕１４の左右方向の中心と、背中の中心線とを合わせるように、前記帯枕１４が付着されている前記帯１１の位置決めを行う。そして、前記帯１１を左胸部から前方に回して、右胸部から背中側に巻き付けて、前記面ファスナー１２ｂを前記面ファスナー１２ａに止着して、前記帯１１を巻き止める。このとき、着用者の体格の相違によって、前記帯１１の前面の面ファスナー１３は、着用者毎に前面のどこに位置するかが異なることとなるが、前記の通り、前記面ファスナー１３の左右方向にある程度の幅をもたせることによって、前記面ファスナー１３のいずれかの部分を胸側の中心に位置させることが可能となっている。
その後、前記帯枕１４を下方に垂らす。
【００３３】
そして、図８に示すように、前記袴本体２１を履き、前記袴本体前身頃２１ａ裏面の前記袴固定用面ファスナー２５を、前記袴本体の前身頃２１ａの左右方向の中心と着用者の胸部中心を合わせるようにして、前記帯１１表面の前記面ファスナー１３に係合させて、前記袴本体前身頃２１ａの位置決めを行う。このとき、前記すべり止めテープ１６と相俟って、前記面ファスナー１３と前記袴本体固定用面ファスナー２５とが係合して止着されているため、かなりの負荷がかからない限り、前記袴本体２１の位置がずれないこととなる。
【００３４】
次に、図９に示すように、前記前紐２２の左右を背中側に回して、前記前紐２２の左側を前記環状体２３に挿通させて、折り返して、前記面ファスナー２４同士を係合させて止着させる。このとき、前記前紐２２は前記帯１１を覆うように巻き止めて、前記帯枕１４に被らせないようにする。
なお、図９は前記前紐２２の止着状態がわかり易いよう前記袴本体２１の後ろ身頃２１ｂを省略している。
そして、前記袴本体後ろ身頃２１ｂの裏面上部の左右方向中心に装着されているヘラ２９を、着物１１背面の中心と前記帯裏面１１ｂとの間に挿入して、前記袴本体後ろ身頃２１ｂの位置決めを行い、前記袴本体後ろ身頃２１ｂが固定されて、ずれないこととなる。
【００３５】
次に図１０に示すように、前記後ろ紐２６の左右を前面に回して、前記前紐２２を覆うように巻いて、胸部中心からやや左の位置で一度片結びをした後、前記後ろ紐２６の前記面ファスナー２８が着設されている側の右端を右胸側から背中側に巻き付け、前記後ろ紐２６の前記環状体２７が着設されている側の左端を左胸側から背中側に巻き付ける。そして、図１１に示すように、前記前紐２２と前記袴本体後ろ身頃２１ｂとの間で、前記前紐２２と同様に止着させる。
【００３６】
最後に図１２に示すように、前記帯体３１を、前記後ろ紐２６の結び目に前記帯体取り付け用クリップ３２を用いて装着する。
なお、前記後ろ紐２６を前面にて一度結ぶことは任意であるが、結んでいることによって、より通常の袴を十文字結びをしているような外観に近づけることができる。
【符号の説明】
【００３７】
１              着物
１１            帯
１１ａ          帯の表面
１１ｂ          帯の裏面
１２ａ          面ファスナーＡ面
１２ｂ          面ファスナーＢ面
１３            帯前面の面ファスナー
１４            帯枕
１５            帯枕取り付け用スナップ
１６            すべり止めテープ
２１            袴本体
２１ａ          袴本体の前身頃
２１ｂ          袴本体の後ろ身頃
２２            前紐
２３            前紐環状体
２４            前紐の面ファスナー
２５            袴固定用面ファスナー
２６            後ろ紐
２７            後ろ紐環状体
２８            後ろ紐の面ファスナー
２９            ヘラ
３１            帯体
３２            帯体取り付け用クリップ
【図１】
0003225089.tif 000003
【図２】
0003225089.tif 000004
【図３】
0003225089.tif 000005
【図４】
0003225089.tif 000006
【図５】
0003225089.tif 000007
【図６】
0003225089.tif 000008
【図７】
0003225089.tif 000009
【図８】
0003225089.tif 000010
【図９】
0003225089.tif 000011
【図１０】
0003225089.tif 000012
【図１１】
0003225089.tif 000013
【図１２】
0003225089.tif 000014